(57)【特許請求の範囲】
【請求項１】
表示部と、
前記表示部に自装置の機能の選択に用いられる複数のアイコンを表示する第１表示処理部と、
前記表示部に対するドラッグアンドドロップ操作によって、複数の前記アイコンのうちいずれか一つの第１アイコンが前記第１アイコンとは別の第２アイコンの表示位置に移動されたか否かを判定する判定処理部と、
前記判定処理部によって前記第１アイコンが前記第２アイコンの表示位置に移動されたと判定された場合に、前記第１アイコン及び前記第２アイコンそれぞれに対応する各機能のいずれか一方又は両方に関連する設定項目の内容を前記第１アイコン及び前記第２アイコンの組み合わせに対応する予め定められた特定内容に設定する第１設定処理部と、
前記第１設定処理部によって前記設定項目の内容が前記特定内容に設定された後に、前記設定項目の内容を前記特定内容に設定するための第３アイコンを前記表示部に表示する第２表示処理部と、
前記第２表示処理部によって前記表示部に表示された前記第３アイコンが選択操作された場合に、前記設定項目の内容を前記特定内容に設定する第２設定処理部と、
を備え、
前記第１設定処理部は、前記設定項目の内容を複数の前記アイコンのうちの少なくとも２つの前記アイコン間における前記ドラッグアンドドロップ操作による前記アイコンの移動パターンに応じて定められた前記特定内容に設定し、
前記第２表示処理部は、前記第１設定処理部によって前記特定内容が設定された設定回数が予め定められた閾値以上の場合に前記表示部に前記第３アイコンを表示する画像処理装置。
【請求項２】
前記第３アイコンは、前記第１設定処理部による前記設定項目の内容の設定前に前記第１アイコンの表示位置から前記第２アイコンの表示位置まで前記第１アイコンが移動されたときの前記移動パターンを識別可能な情報を含む請求項１に記載の画像処理装置。
【請求項３】
前記第２表示処理部は、前記表示部への予め定められた表示操作に応じて前記表示部に前記第３アイコンを表示する請求項１又は２に記載の画像処理装置。
【請求項４】
画像処理装置の表示部に前記画像処理装置の機能の選択に用いられる複数のアイコンを表示する第１ステップと、
前記表示部に対するドラッグアンドドロップ操作によって、複数の前記アイコンのうちいずれか一つの第１アイコンが前記第１アイコンとは別の第２アイコンの表示位置に移動されたか否かを判定する第２ステップと、
前記第２ステップによって前記第１アイコンが前記第２アイコンの表示位置に移動されたと判定された場合に、前記第１アイコン及び前記第２アイコンそれぞれに対応する各機能のいずれか一方又は両方に関連する設定項目の内容を前記第１アイコン及び前記第２アイコンの組み合わせに対応する予め定められた特定内容に設定する第３ステップと、
前記第３ステップによって前記設定項目の内容が前記特定内容に設定された後に、前記設定項目の内容を前記特定内容に設定するための第３アイコンを前記表示部に表示する第４ステップと、
前記第４ステップによって前記表示部に表示された前記第３アイコンが選択操作された場合に、前記設定項目の内容を前記特定内容に設定する第５ステップと、
を含み、
前記第３ステップでは、前記設定項目の内容が複数の前記アイコンのうちの少なくとも２つの前記アイコン間における前記ドラッグアンドドロップ操作による前記アイコンの移動パターンに応じて定められた前記特定内容に設定され、
前記第４ステップでは、前記第３ステップによって前記特定内容が設定された設定回数が予め定められた閾値以上の場合に前記表示部に前記第３アイコンが表示される画像処理装置の機能設定方法。
【発明の詳細な説明】
【技術分野】
【０００１】
本発明は、複数の機能を有する画像処理装置、及び画像処理装置の機能設定方法に関する。
【背景技術】
【０００２】
複合機のような画像処理装置は、コピー機能、スキャン機能などの複数の機能を備える。また、画像処理装置は、液晶ディスプレーなどの表示部と共に、タッチパネルなどの操作検出部を備えることがある（例えば、特許文献１参照）。例えば、この種の画像処理装置では、表示部に表示されたアイコンが操作されて、画像処理装置が有する複数の機能からユーザーが実行を所望する機能（以下、特定機能と称する。）が選択される。
【０００３】
画像処理装置においては、複数の機能を選択するための複数のアイコンを含む初期画面が表示部に表示される。ユーザーは、初期画面において特定のアイコンをタッチ操作して選択すると、そのアイコンの機能に関する設定画面が表示される。例えば、ユーザーによって初期画面に表示されたスキャン機能に対応するアイコンが操作されると、初期画面が消えて、スキャン機能の設定画面が表示される。スキャン機能の設定画面では、例えば、読み取られた画像データが格納される記憶領域や、画像データを出力する外部装置などを設定することができる。以下、画像データの格納場所や出力場所を設定することを出力先設定と称する。画像処理装置では、この出力先設定は、以下の手順で行われる。
【０００４】
まず、ユーザーにより、表示部に表示されたスキャン機能の設定画面に含まれる読み取り画像データの出力先の設定に関するサブアイコンがタッチ操作される。これにより、表示部に前記出力先設定を行うための出力先設定画面が表示される。次に、ユーザーによって、出力先設定画面で所望の出力先として内部メモリーに割り当てられた記憶ボックス（記憶領域）が選択されると、読み取り画像データの出力先が前記記憶ボックスに設定される。その後、ユーザーが実行キー（スタートキー）を操作してスキャン実行指示を入力すると、画像処理装置において、原稿画像のスキャンが行われ、スキャンされた画像データが設定された出力先に出力される。
【先行技術文献】
【特許文献】
【０００５】
【特許文献１】特開２０１３−２１８５２２号公報
【発明の概要】
【発明が解決しようとする課題】
【０００６】
しかしながら、画像処理装置の備える複数の機能が表示される前記初期画面からユーザーが設定を所望する特定機能の設定項目にたどりつくまでに、ユーザーは、表示部に対して複数回の操作を強いられる。このため、ユーザーは、所望する設定項目の設定をするための操作を煩雑に感じる。また、複数回の操作を強いられるため、操作ミスが生じ易く、特定機能における所望する設定項目の設定画面を迅速に表示させることができないという問題もある。
【０００７】
本発明の目的は、所望する設定項目を設定するユーザーにおける表示部への操作の手間を軽減可能な画像処理装置、及び画像処理方法を提供することにある。
【課題を解決するための手段】
【０００８】
本発明の一の局面に係る画像処理装置は、表示部と、第１表示処理部と、判定処理部と、第１設定処理部とを備える。前記第１表示処理部は、前記表示部に自装置の機能の選択に用いられる複数のアイコンを表示する。前記判定処理部は、前記表示部に対するドラッグアンドドロップ操作によって、複数の前記アイコンのうちいずれか一つの第１アイコンが前記第１アイコンとは別の第２アイコンの表示位置に移動されたか否かを判定する。前記第１設定処理部は、前記判定処理部によって前記第１アイコンが前記第２アイコンの表示位置に移動されたと判定された場合に、前記第１アイコン及び前記第２アイコンそれぞれに対応する各機能のいずれか一方又は両方に関連する設定項目の内容を前記第１アイコン及び前記第２アイコンの組み合わせに対応する予め定められた特定内容に設定する。
【０００９】
本発明の他の局面に係る機能設定方法は、画像処理装置で実行され、以下の第１ステップ、第２ステップ、及び第３ステップを含む。前記第１ステップでは、前記画像処理装置の表示部に前記画像処理装置の機能の選択に用いられる複数のアイコンが表示される。前記第２ステップでは、前記表示部に対するドラッグアンドドロップ操作によって、複数の前記アイコンのうちいずれか一つの第１アイコンが前記第１アイコンとは別の第２アイコンの表示位置に移動されたか否かが判定される。前記第３ステップでは、前記第２ステップによって前記第１アイコンが前記第２アイコンの表示位置に移動されたと判定された場合に、前記第１アイコン及び前記第２アイコンそれぞれに対応する各機能のいずれか一方又は両方に関連する設定項目の内容が前記第１アイコン及び前記第２アイコンの組み合わせに対応する予め定められた特定内容に設定される。
【発明の効果】
【００１０】
本発明によれば、所望する設定項目を設定するユーザーにおける表示部への操作の手間を軽減することが可能である。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の表示部に表示される初期画面の一例を示す図である。
【図５】図５は、本発明の実施形態に係る画像処理装置の表示部へのユーザーの操作の一例を示す図である。
【図６】図６は、本発明の実施形態に係る画像処理装置の表示部へのユーザーの操作の一例を示す図である。
【図７】図７は、本発明の実施形態に係る画像処理装置で用いられるテーブルデータの一例を示す図である。
【図８】図８は、本発明の実施形態に係る画像処理装置で実行される機能設定処理の一例を示すフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定するものではない。
【００１３】
［画像処理装置１０の構成］
まず、図１〜図３を参照しつつ、本発明の実施形態に係る画像処理装置１０の構成について説明する。ここで、図１は画像処理装置１０の構成を示す断面模式図である。また、図３は操作表示部６の構成を示す平面模式図である。
【００１４】
画像処理装置１０は、原稿から画像データを読み取るスキャン機能、及び画像データに基づいて画像を形成するプリント機能と共に、コピー機能、画像データ送信機能、ボックス機能、及び外部メモリー機能などの複数の機能を有する複合機である。また、本発明は、スキャナー装置、プリンター装置、ファクシミリ装置、及びコピー機などの画像処理装置に適用可能である。
【００１５】
図１及び図２に示されるように、画像処理装置１０は、ＡＤＦ（自動原稿搬送装置）１、画像読取部２、画像形成部３、給紙部４、制御部５、操作表示部６、記憶部７、及び接続部８を備える。
【００１６】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１７】
画像形成部３は、画像読取部２で読み取られた画像データに基づいて、電子写真方式でカラー又はモノクロの画像を形成することが可能である。また、画像形成部３は、外部のパーソナルコンピューター等の情報処理装置から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後のシートが前記排紙トレイに排出される。なお、画像形成部３は、インクジェット方式などの他の画像形成方式により画像を形成するものであってもよい。
【００１８】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
記憶部７は、ＳＳＤ（ソリッドステートドライブ）又はＨＤＤ（ハードディスクドライブ）などの記憶装置である。例えば、記憶部７には、画像読取部２によって読み取られた画像データが記憶される。なお、記憶部７は、制御部５の前記ＥＥＰＲＯＭ等であってもよい。
【００２０】
記憶部７は、画像処理装置１０にログイン可能なユーザー各々に対応する複数の記憶領域を有する。ユーザーは、画像処理装置１０にログインすることで、自身に割り当てられた前記記憶領域を利用することが可能である。例えば、ユーザーは、自身に割り当てられた前記記憶領域に画像読取部２によって読み取られた画像データを格納することが可能である。また、ユーザーは、自身に割り当てられた前記記憶領域に格納されている画像データを印刷することが可能である。
【００２１】
接続部８は、ＵＳＢ規格に基づいてデータの入出力が可能な外部の電子機器が接続されるＵＳＢ接続端子を有する。例えば、接続部８には、ＵＳＢ規格に基づいてデータの書き込み及び読み出しが可能な外部記憶装置８１が接続される。例えば、外部記憶装置８１はＵＳＢメモリーである。なお、図２では、画像処理装置１０の構成要素ではない外部記憶装置８１が破線で記載されている。
【００２２】
操作表示部６は、画像処理装置１０におけるユーザーインターフェイスである。図２及び図３に示されるように、操作表示部６は、表示部６１、操作検出部６２、及びハードキー６３を備える。
【００２３】
表示部６１は、制御部５からの制御指示に応じて各種の情報を表示する。例えば、表示部６１は液晶ディスプレーである。図３に示されるように、表示部６１は、画面が表示される表示面６１１を有する。
【００２４】
操作検出部６２は、表示部６１へのユーザーの操作を検出することが可能な所謂タッチパネルである。例えば、操作検出部６２は、静電容量方式によりユーザーの指などの操作体が表示面６１１に接触した場合における前記操作体と表示面６１１との接触位置を検出する。なお、操作検出部６２は、抵抗膜方式など、他の検出方式を用いて前記操作体と表示面６１１との接触を検出してもよい。
【００２５】
ハードキー６３は、ユーザーの操作に応じて制御部５に各種の情報を入力する。例えば、図３に示されるように、ハードキー６３は、電源キー６３１、及びスタートキー６３２を含む。
【００２６】
電源キー６３１は、画像処理装置１０の各部への給電の制御に用いられる。例えば、画像処理装置１０では、電源キー６３１の操作により、画像処理装置１０の動作モードが通常モードとスリープモードとの間で切り替えられる。例えば、画像処理装置１０では、電源キー６３１の操作により前記動作モードが前記通常モードから前記スリープモードに切り替えられた場合に、画像形成部３及び操作表示部６等への給電が停止される。また、画像処理装置１０では、電源キー６３１の操作により前記動作モードが前記スリープモードから前記通常モードに切り替えられた場合に、画像形成部３及び操作表示部６等への給電が再開される。この場合、前記コピー機能、及び前記スキャン機能などの画像処理装置１０で行われる画像処理に関する機能の選択に用いられる初期画面が表示部６１に表示される。画像処理装置１０では、前記初期画面が操作されて、画像処理装置１０が有する複数の機能からユーザーが実行を所望する機能（以下、特定機能と称する。）が選択される。
【００２７】
スタートキー６３２は、制御部５への画像処理装置１０の上述した各機能の実行指示の入力に用いられる。
【００２８】
ここで、表示部６１に表示される前記初期画面の一例を図４に示す。図４に示される初期画面Ｇ１０は、画像処理装置１０の機能の選択に用いられる複数のアイコン画像Ａ１１〜Ａ１５（以下、単に「アイコン」と略称する。）を含む。
【００２９】
アイコンＡ１１は、前記コピー機能の選択に用いられる画像である。例えば、画像処理装置１０では、アイコンＡ１１が操作された場合に、表示部６１に前記コピー機能の設定に用いられるコピー設定画面が表示される。ユーザーは、表示部６１に表示された前記コピー設定画面において、前記コピー機能に関する各種の設定を行うことが可能である。また、画像処理装置１０では、表示部６１に前記コピー設定画面が表示された状態でスタートキー６３２が操作された場合に、前記コピー機能が実行される。なお、前記コピー設定画面に、前記コピー機能の実行に用いられる操作キー（ソフトキー）が含まれていてもよい。
【００３０】
アイコンＡ１２は、前記画像データ送信機能の選択に用いられるアイコンである。ここで、前記画像データ送信機能は、画像データを予め定められた出力先に送信する機能である。例えば、前記画像データ送信機能は、画像データをファクシミリ送信するファクシミリ機能、及び画像データを外部の情報処理装置又は外部記憶装置８１に送信する機能を含む。画像処理装置１０では、アイコンＡ１２が操作された場合に、表示部６１に前記画像データ送信機能の設定に用いられる送信設定画面が表示される。ユーザーは、表示部６１に表示された前記送信設定画面において、前記画像データ送信機能に関する各種の設定を行うことが可能である。また、画像処理装置１０では、表示部６１に前記送信設定画面が表示された状態でスタートキー６３２が操作された場合に、前記画像データ送信機能が実行される。
【００３１】
アイコンＡ１３は、前記スキャン機能の選択に用いられるアイコンである。例えば、画像処理装置１０では、アイコンＡ１３が操作された場合に、表示部６１に前記スキャン機能の設定に用いられるスキャン設定画面が表示される。ユーザーは、表示部６１に表示された前記スキャン設定画面において、前記スキャン機能に関する各種の設定を行うことが可能である。また、画像処理装置１０では、表示部６１に前記スキャン設定画面が表示された状態でスタートキー６３２が操作された場合に、前記スキャン機能が実行される。
【００３２】
アイコンＡ１４は、前記ボックス機能の選択に用いられるアイコンである。ここで、前記ボックス機能は、画像処理装置１０にログインしているユーザーに対応する記憶部７の前記記憶領域（以下、ボックスと称する。）に格納されている画像データを印刷、又は予め定められた出力先に送信する機能である。例えば、画像処理装置１０では、アイコンＡ１４が操作された場合に、表示部６１に前記ボックスに格納されている画像データからの出力対象となる画像データの選択に用いられる第１選択画面が表示される。また、画像処理装置１０では、前記第１選択画面で出力対象となる画像データが選択された場合に、画像データの出力方法の選択に用いられる第２選択画面が表示される。例えば、ユーザーは、前記第２選択画面において、前記ボックスからの画像データの出力方法として、画像形成部３を用いた印刷、外部の情報処理装置への送信、及び外部記憶装置８１への転送、のいずれかを選択可能である。
【００３３】
例えば、画像処理装置１０では、前記第２選択画面で前記ボックスに格納されている画像データの出力方法として画像形成部３を用いた印刷が選択された場合に、画像データの取得方法の設定が変更された前記コピー設定画面が表示部６１に表示される。具体的に、画像データの取得方法が初期設定（画像読取部２による読み取り）から前記ボックスからの取得に変更された前記コピー設定画面が表示部６１に表示される。
【００３４】
アイコンＡ１５は、外部メモリー機能の選択に用いられるアイコンである。ここで、前記外部メモリー機能は、外部記憶装置８１に格納されている画像データを印刷、又は予め定められた出力先に送信する機能である。例えば、画像処理装置１０では、アイコンＡ１５が操作された場合に、表示部６１に外部記憶装置８１に格納されている画像データからの出力対象となる画像データの選択に用いられる第３選択画面が表示される。また、画像処理装置１０では、前記第３選択画面で出力対象となる画像データが選択された場合に、画像データの出力方法の選択に用いられる第４選択画面が表示される。例えば、ユーザーは、前記第４選択画面において、外部記憶装置８１からの画像データの出力方法として、画像形成部３を用いた印刷、外部の情報処理装置への送信、及び記憶部７の前記ボックスへの転送、のいずれかを選択可能である。
【００３５】
例えば、画像処理装置１０では、前記第４選択画面で外部記憶装置８１に格納されている画像データの出力方法として外部の情報処理装置への送信が選択された場合に、画像データの取得方法の設定が変更された前記送信設定画面が表示部６１に表示される。具体的に、画像データの取得方法が初期設定（例えば、画像読取部２による読み取り）から外部記憶装置８１からの取得に変更された前記送信設定画面が表示部６１に表示される。
【００３６】
ところで、画像処理装置１０では、ユーザーが表示部６１に表示された前記スキャン設定画面を操作することによって、読み取られた画像データが格納される記憶領域や、前記画像データを出力する外部装置などが設定されることがある。以下、画像データの格納場所や出力場所を設定することを出力先設定と称する。画像処理装置１０では、この出力先設定は、以下の手順で行われる。
【００３７】
まず、ユーザーにより、表示部６１に表示された前記スキャン設定画面に含まれる読み取り画像データの出力先の設定に関するサブアイコンがタッチ操作される。これにより、表示部６１に前記出力先設定を行うための出力先設定画面が表示される。次に、ユーザーによって、前記出力先設定画面で所望の出力先として記憶部７の前記ボックスが選択されると、読み取り画像データの出力先が前記ボックスに設定される。その後、ユーザーがスタートキー６３２を操作してスキャン実行指示を入力すると、画像処理装置１０において、原稿画像のスキャンが行われ、スキャンされた画像データが設定された出力先に出力される。
【００３８】
しかしながら、画像処理装置１０の備える複数の機能が表示される初期画面Ｇ１０からユーザーが設定を所望する前記特定機能の設定項目にたどりつくまでに、ユーザーは、表示部６１に対して複数回の操作を強いられる。このため、ユーザーは、所望する設定項目の設定をするための操作を煩雑に感じる。また、複数回の操作を強いられるため、操作ミスが生じ易く、前記特定機能における所望する設定項目の設定画面を迅速に表示させることができないという問題もある。
【００３９】
これに対し、本発明の実施形態に係る画像処理装置１０では、以下に説明するように、所望する設定項目を設定するユーザーにおける表示部６１への操作の手間を軽減することが可能である。
【００４０】
具体的に、制御部５の前記ＲＯＭには、前記ＣＰＵに後述の機能設定処理（図８のフローチャート参照）を実行させるための機能設定プログラムが予め記憶されている。なお、前記機能設定プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等にインストールされるものであってもよい。
【００４１】
そして、制御部５は、図２に示されるように、第１表示処理部５１、判定処理部５２、第１設定処理部５３、第２表示処理部５４、及び第２設定処理部５５を含む。具体的に、制御部５は、前記ＣＰＵを用いて前記ＲＯＭに記憶されている前記機能設定プログラムを実行する。これにより、制御部５は、第１表示処理部５１、判定処理部５２、第１設定処理部５３、第２表示処理部５４、及び第２設定処理部５５として機能する。
【００４２】
第１表示処理部５１は、表示部６１に画像処理装置１０の機能の選択に用いられる複数のアイコンを表示する。
【００４３】
例えば、第１表示処理部５１は、電源キー６３１の操作により前記動作モードが前記スリープモードから前記通常モードに切り替えられた場合に、表示部６１にアイコンＡ１１〜Ａ１５を含む初期画面Ｇ１０を表示する。
【００４４】
判定処理部５２は、表示部６１に対するドラッグアンドドロップ操作（図５参照）によって、複数の前記アイコンのうちいずれか一つの第１アイコンが前記第１アイコンとは別の第２アイコンの表示位置に移動されたか否かを判定する。
【００４５】
ここで、前記ドラッグアンドドロップ操作は、ユーザーが指を表示面６１１に接触させて、その指を表示面６１１上でスライド移動させた後、その指を表示面６１１から離す操作である。画像処理装置１０では、前記ドラッグアンドドロップ操作により、表示部６１に表示される前記アイコンを移動させることが可能である。
【００４６】
具体的に、判定処理部５２は、操作検出部６２による前記操作体と表示面６１１との接触の有無及び接触位置の検出結果に基づいて、表示部６１に表示された初期画面Ｇ１０において、アイコンＡ１１〜Ａ１５のうちのいずれか一つの前記アイコン（前記第１アイコン）が前記ドラッグアンドドロップ操作によって他の前記アイコン（前記第２アイコン）の表示位置に移動されたか否かを判定する。
【００４７】
なお、画像処理装置１０が操作検出部６２に替えてタッチパッド又はマウスを備える場合には、判定処理部５２は、前記タッチパッド又は前記マウスから出力される電気信号に基づいて、前記第１アイコンが前記第２アイコンの表示位置に移動されたか否かを判定してもよい。
【００４８】
図５に、表示部６１への前記ドラッグアンドドロップ操作の一例を示す。図５では、初期画面Ｇ１０において、アイコンＡ１１が前記ドラッグアンドドロップ操作によってアイコンＡ１４の表示位置に移動された状態が示されている。なお、図５における破線は、前記ドラッグアンドドロップ操作によって移動されるアイコンＡ１１を示すものである。
【００４９】
第１設定処理部５３は、判定処理部５２によって前記第１アイコンが前記第２アイコンの表示位置に移動されたと判定された場合に、前記第１アイコン及び前記第２アイコンそれぞれに対応する各機能のいずれか一方又は両方に関連する設定項目の内容を、前記第１アイコン及び前記第２アイコンの組み合わせに対応する予め定められた特定内容に設定する。
【００５０】
例えば、第１設定処理部５３は、前記設定項目の内容を、複数の前記アイコンのうちの少なくとも２つの前記アイコン間における前記ドラッグアンドドロップ操作による前記アイコンの移動パターンに応じて定められた前記特定内容に設定する。例えば、図５に示されるアイコンＡ１１とアイコンＡ１４との間における前記移動パターンは、以下の２つのパターンを含む。即ち、アイコンＡ１１がアイコンＡ１１の表示位置からアイコンＡ１４の表示位置まで移動されるパターンと、アイコンＡ１４がアイコンＡ１４の表示位置からアイコンＡ１１の表示位置まで移動されるパターンである。換言すると、アイコンＡ１１及びアイコンＡ１４の組み合わせに対応する前記特定内容は、アイコンＡ１１がアイコンＡ１１の表示位置からアイコンＡ１４の表示位置まで移動されるパターンに対応する前記特定内容と、アイコンＡ１４がアイコンＡ１４の表示位置からアイコンＡ１１の表示位置まで移動されるパターンに対応する前記特定内容とを含む。
【００５１】
例えば、画像処理装置１０では、初期画面Ｇ１０に含まれるアイコンＡ１１〜Ａ１５のうちの２つの前記アイコン間における前記移動パターン各々に、第１設定処理部５３によって設定される前記設定項目及び前記特定内容が対応付けられている。例えば、画像処理装置１０では、初期画面Ｇ１０に含まれるアイコンＡ１１〜Ａ１５のうちの２つの前記アイコン間における前記移動パターンと前記設定項目及び前記特定内容との対応関係を示すテーブルデータが、予め制御部５の前記ＥＥＰＲＯＭに格納されている。
【００５２】
第１設定処理部５３は、前記テーブルデータを参照することで、前記ドラッグアンドドロップ操作により移動された前記第１アイコンの前記移動パターンに対応する前記設定項目及び前記特定内容を特定する。そして、第１設定処理部５３は、特定された前記設定項目の内容を特定された前記特定内容に変更する。
【００５３】
図７に、画像処理装置１０において制御部５の前記ＥＥＰＲＯＭに格納されている前記テーブルデータの一例を示す。
【００５４】
例えば、図７に示されるテーブルデータＤ１０では、アイコンＡ１１とアイコンＡ１４との間における前記アイコンの前記移動パターン各々に対応する前記設定項目及び前記特定内容が定められている。具体的に、テーブルデータＤ１０では、アイコンＡ１１の表示位置からアイコンＡ１４の表示位置までのアイコンＡ１１の前記移動パターンに対応する前記設定項目が、前記スキャン機能の出力先に定められている。また、テーブルデータＤ１０では、アイコンＡ１１の表示位置からアイコンＡ１４の表示位置までのアイコンＡ１１の前記移動パターンに対応する前記特定内容が、初期値（外部の情報処理装置に送信）から前記ボックスへの変更に定められている。一方、テーブルデータＤ１０では、アイコンＡ１４の表示位置からアイコンＡ１１の表示位置までのアイコンＡ１４の前記移動パターンに対応する前記設定項目が、前記コピー機能の入力元に定められている。また、テーブルデータＤ１０では、アイコンＡ１４の表示位置からアイコンＡ１１の表示位置までのアイコンＡ１４の前記移動パターンに対応する前記特定内容が、初期値（画像読取部２による原稿からの読み取り）から前記ボックスへの変更に定められている。
【００５５】
また、図７に示されるテーブルデータＤ１０では、アイコンＡ１３とアイコンＡ１４との間における前記アイコンの前記移動パターン各々に対応する前記設定項目及び前記特定内容が定められている。ここで、図７に示されるテーブルデータＤ１０では、アイコンＡ１３とアイコンＡ１４との間における前記アイコンの前記移動パターン各々で、共通の内容の前記設定項目及び前記特定内容が定められている。このように、２つの前記アイコン間における前記アイコンの前記移動パターン各々に対応する前記設定項目及び前記特定内容が共通の内容であってもよい。
【００５６】
第２表示処理部５４は、第１設定処理部５３によって前記設定項目の内容が前記特定内容に設定された後に、前記設定項目の内容を前記特定内容に設定するための第３アイコンを表示部６１に表示する。
【００５７】
例えば、前記第３アイコンは、第１設定処理部５３による前記設定項目の内容の設定前に前記第１アイコンの表示位置から前記第２アイコンの表示位置まで前記第１アイコンが移動されたときの前記移動パターンを識別可能な情報を含む。例えば、前記第３アイコンの上部又は左部には、前記第１アイコンを示す情報が含まれる。また、前記第３アイコンの下部又は右部には、前記第２アイコンを示す情報が含まれる。なお、前記第３アイコンは、第１設定処理部５３による前記設定項目の内容の設定前に前記第１アイコンの表示位置から前記第２アイコンの表示位置まで前記第１アイコンが移動されたときの前記移動パターンを識別可能な情報を含まないものであってもよい。
【００５８】
例えば、第２表示処理部５４は、表示部６１への予め定められた表示操作に応じて、表示部６１に前記第３アイコンを含むアイコン表示領域を表示する。例えば、前記表示操作は、初期画面Ｇ１０の外側から内側へのスワイプ操作（図６参照）である。ここで、前記スワイプ操作は、ユーザーが指を表示面６１１に接触させて、その指を表示面６１１上でスライド移動させる操作である。例えば、第２表示処理部５４は、操作検出部６２による前記操作体と表示面６１１との接触の有無及び接触位置の検出結果に基づいて、前記初期画面Ｇ１０の外側から内側へのスワイプ操作が行われたか否かを判定する。なお、前記表示操作は、表示部６１へのダブルタップ操作などであってもよい。
【００５９】
また、第２表示処理部５４は、初期画面Ｇ１０の内側から外側への前記スワイプ操作に応じて、表示部６１における前記アイコン表示領域の表示を終了させる。
【００６０】
例えば、第２表示処理部５４は、第１設定処理部５３によって前記特定内容が設定された設定回数が予め定められた閾値以上の前記第１アイコンの前記移動パターンに対応する前記第３アイコンを含む前記アイコン表示領域を表示する。例えば、画像処理装置１０では、制御部５の前記ＥＥＰＲＯＭに、初期画面Ｇ１０に含まれるアイコンＡ１１〜Ａ１５のうちの２つの前記アイコン間における前記アイコンの前記移動パターンごとの前記特定内容の設定回数を示す設定回数データが格納されている。第２表示処理部５４は、前記ＥＥＰＲＯＭに格納されている前記設定回数データに基づいて、第１設定処理部５３によって前記特定内容が設定された設定回数が前記閾値以上の前記第１アイコンの前記移動パターンに対応する前記第３アイコンの有無を判断する。
【００６１】
なお、第１表示処理部５１によって表示される初期画面Ｇ１０が、予め前記アイコン表示領域を含んでいてもよい。この場合、第２表示処理部５４は、第１表示処理部５１によって初期画面Ｇ１０が表示された場合に、初期画面Ｇ１０に含まれる前記アイコン表示領域に前記第３アイコンを表示する。また、第２表示処理部５４は、第１設定処理部５３によって前記特定内容が設定された設定回数が前記閾値以上の前記第１アイコンの前記移動パターンに対応する前記第３アイコンが存在する場合に、前記第３アイコンを表示してもよい。
【００６２】
図６に、前記表示操作に応じて表示部６１に表示される前記アイコン表示領域の一例を示す。図６では、初期画面Ｇ１０の下方向の外側から上方向への前記スワイプ操作に応じて初期画面Ｇ１０に表示されるアイコン表示領域Ｒ１０が示されている。図６に示されるアイコン表示領域Ｒ１０には、第３アイコンＡ２１〜Ａ２３が含まれている。
【００６３】
第３アイコンＡ２１は、第１設定処理部５３による前記設定項目の内容の設定前にアイコンＡ１１の表示位置からアイコンＡ１４の表示位置までアイコンＡ１１が移動されたときの前記移動パターンを識別可能な情報を含む。具体的に、第３アイコンＡ２１の上部には、アイコンＡ１１を示す情報が含まれる。また、第３アイコンＡ２１の下部には、アイコンＡ１４を示す情報が含まれる。
【００６４】
なお、図６に示される初期画面Ｇ１０において、初期画面Ｇ１０の内側から下方向の外側への前記スワイプ操作が行われた場合、制御部５は、表示部６１におけるアイコン表示領域Ｒ１０の表示を終了させる。
【００６５】
第２設定処理部５５は、第２表示処理部５４によって表示部６１に表示された前記第３アイコンが選択操作された場合に、前記設定項目の内容を前記特定内容に設定する。
【００６６】
具体的に、第２設定処理部５５は、前記第３アイコンに対してタッチ操作が行われた場合に、前記第３アイコンが操作されたと判断する。即ち、前記タッチ操作が、本発明の選択操作の一例である。ここで、前記タッチ操作は、ユーザーが指を表示面６１１に接触させる操作である。例えば、第２設定処理部５５は、操作検出部６２による前記操作体と表示面６１１との接触の有無及び接触位置の検出結果に基づいて、前記第３アイコンに対して前記タッチ操作が行われたか否かを判定する。
【００６７】
［機能設定処理］
以下、図８を参照しつつ、画像処理装置１０において制御部５により実行される機能設定処理の手順の一例と共に、本発明の機能特定方法について説明する。ここで、ステップＳ１１、Ｓ１２・・・は、制御部５により実行される処理手順（ステップ）の番号を表している。例えば、制御部５は、電源キー６３１の操作により前記動作モードが前記スリープモードから前記通常モードに切り替えられた場合に、前記機能設定処理を実行する。
【００６８】
＜ステップＳ１１＞
まず、ステップＳ１１において、制御部５は、表示部６１にアイコンＡ１１〜Ａ１５を含む初期画面Ｇ１０を表示する。ここに、ステップＳ１１の処理が、本発明における第１ステップの一例であって、制御部５の第１表示処理部５１により実行される。
【００６９】
＜ステップＳ１２＞
ステップＳ１２において、制御部５は、操作検出部６２によって表示部６１へのユーザーの操作が検出されたか否かを判断する。
【００７０】
ここで、制御部５は、操作検出部６２によって表示部６１へのユーザーの操作が検出されたと判断すると（Ｓ１２のＹｅｓ側）、処理をステップＳ１３に移行させる。また、操作検出部６２によって表示部６１へのユーザーの操作が検出されていなければ（Ｓ１２のＮｏ側）、制御部５は、ステップＳ１２で操作検出部６２によって表示部６１へのユーザーの操作が検出されるのを待ち受ける。
【００７１】
＜ステップＳ１３＞
ステップＳ１３において、制御部５は、表示部６１に対する前記ドラッグアンドドロップ操作によって、初期画面Ｇ１０において前記第１アイコンが前記第２アイコンの表示位置に移動されたか否かを判断する。ここに、ステップＳ１３の処理が、本発明における第２ステップの一例であって、制御部５の判定処理部５２により実行される。
【００７２】
具体的に、制御部５は、操作検出部６２による前記操作体と表示面６１１との接触の有無及び接触位置の検出結果に基づいて、表示部６１に表示された初期画面Ｇ１０において、アイコンＡ１１〜Ａ１５のうちのいずれか一つの前記アイコン（前記第１アイコン）が前記ドラッグアンドドロップ操作によって他の前記アイコン（前記第２アイコン）の表示位置に移動されたか否かを判断する。
【００７３】
ここで、制御部５は、表示部６１に対する前記ドラッグアンドドロップ操作によって、初期画面Ｇ１０において前記第１アイコンが前記第２アイコンの表示位置に移動されたと判断すると（Ｓ１３のＹｅｓ側）、処理をステップＳ１４に移行させる。また、表示部６１に対する前記ドラッグアンドドロップ操作によって、初期画面Ｇ１０において前記第１アイコンが前記第２アイコンの表示位置に移動されていなければ（Ｓ１３のＮｏ側）、制御部５は、処理をステップＳ１３１に移行させる。
【００７４】
＜ステップＳ１４＞
ステップＳ１４において、制御部５は、前記第１アイコン及び前記第２アイコンそれぞれに対応する各機能のいずれか一方又は両方に関連する前記設定項目の内容を、前記第１アイコン及び前記第２アイコンの組み合わせに対応する前記特定内容に設定する。ここに、ステップＳ１４の処理が、本発明における第３ステップの一例であって、制御部５の第１設定処理部５３により実行される。
【００７５】
例えば、制御部５は、前記テーブルデータを参照することで、前記ドラッグアンドドロップ操作により移動された前記第１アイコンの前記移動パターンに対応する前記設定項目及び前記特定内容を特定する。そして、制御部５は、特定された前記設定項目の内容を特定された前記特定内容に変更する。
【００７６】
＜ステップＳ１５＞
ステップＳ１５において、制御部５は、表示部６１に対する前記ドラッグアンドドロップ操作によって移動された前記第１アイコンの前記移動パターンに対応する前記特定内容の設定回数をカウントアップする。例えば、制御部５は、前記ＥＥＰＲＯＭに格納されている前記設定回数データの内容を更新して、前記第１アイコンの前記移動パターンに対応する前記特定内容の設定回数をカウントアップする。
【００７７】
＜ステップＳ１６＞
ステップＳ１６において、制御部５は、ステップＳ１４で前記特定内容に設定された前記設定項目を含む機能の実行操作を受け付ける。例えば、制御部５は、前記特定内容に設定された前記設定項目を含む機能の設定画面を表示部６１に表示させて、前記実行操作を受け付ける。
【００７８】
＜ステップＳ１７＞
ステップＳ１７において、制御部５は、ステップＳ１６で表示された設定画面において前記実行操作が行われたか否かを判断する。例えば、制御部５は、スタートキー６３２が操作された場合に、前記実行操作が行われたと判断する。
【００７９】
ここで、制御部５は、ステップＳ１６で表示された設定画面において前記実行操作が行われたと判断すると（Ｓ１７のＹｅｓ側）、処理をステップＳ１８に移行させる。また、前記実行操作が行われていなければ（Ｓ１７のＮｏ側）、制御部５は、ステップＳ１７で前記実行操作を待ち受ける。
【００８０】
＜ステップＳ１８＞
ステップＳ１８において、制御部５は、ステップＳ１４で前記特定内容に設定された前記設定項目を含む機能を実行する。
【００８１】
＜ステップＳ１３１＞
一方、ステップＳ１３で、表示部６１に対する前記ドラッグアンドドロップ操作によって、初期画面Ｇ１０において前記第１アイコンが前記第２アイコンの表示位置に移動されていないと判断された場合、制御部５はステップＳ１３１の処理を実行する。ステップＳ１３１において、制御部５は、操作検出部６２によって検出されたユーザーの操作が前記表示操作であるか否かを判断する。
【００８２】
例えば、制御部５は、操作検出部６２によって検出されたユーザーの操作が初期画面Ｇ１０の外側から内側への前記スワイプ操作である場合に、操作検出部６２によって検出されたユーザーの操作が前記表示操作であると判断する。
【００８３】
ここで、制御部５は、操作検出部６２によって検出されたユーザーの操作が前記表示操作であると判断すると（Ｓ１３１のＹｅｓ側）、処理をステップＳ１３２に移行させる。また、操作検出部６２によって検出されたユーザーの操作が前記表示操作でなければ（Ｓ１３１のＮｏ側）、制御部５は、処理をステップＳ１３６に移行させる。
【００８４】
＜ステップＳ１３６＞
ステップＳ１３６において、制御部５は、操作検出部６２によって検出されたユーザーの操作に対応する処理を実行する。
【００８５】
例えば、制御部５は、操作検出部６２によって検出されたユーザーの操作がアイコンＡ１１〜Ａ１５のいずれか一つの前記アイコンへの前記タッチ操作であると判断した場合に、操作された前記アイコンの機能に関する画面を表示部６１に表示させる。例えば、制御部５は、操作検出部６２によって検出されたユーザーの操作がアイコンＡ１１への前記タッチ操作であると判断した場合に、前記コピー設定画面を表示部６１に表示させる。
【００８６】
＜ステップＳ１３２＞
ステップＳ１３２において、制御部５は、表示部６１に前記第３アイコンを含むアイコン表示領域Ｒ１０を表示する。ここに、ステップＳ１３１、及びステップＳ１３２の処理は、制御部５の第２表示処理部５４により実行される。これにより、ユーザーは、前記ドラッグアンドドロップ操作より単純な操作で、前記特定内容を設定することが可能となる。従って、前記ドラッグアンドドロップ操作が行われる際の操作ミスの発生が回避される。
【００８７】
また、ステップＳ１３２では、第１設定処理部５３による前記設定項目の内容の設定前に前記第１アイコンの表示位置から前記第２アイコンの表示位置まで前記第１アイコンが移動されたときの前記移動パターンを識別可能な情報を含む前記第３アイコンが表示される。これにより、ユーザーは、前記第３アイコンを視認するだけで、前記第３アイコンに対応する前記第１アイコンの前記移動パターンを認識することが可能である。
【００８８】
例えば、制御部５は、ステップＳ１４で前記特定内容が設定された設定回数が前記閾値以上の前記第１アイコンの前記移動パターンに対応する前記第３アイコンを含むアイコン表示領域Ｒ１０を表示する。例えば、制御部５は、前記ＥＥＰＲＯＭに格納されている前記設定回数データに基づいて、ステップＳ１４で前記特定内容が設定された設定回数が前記閾値以上の前記第１アイコンの前記移動パターンに対応する前記第３アイコンの有無を判断する。これにより、全ての前記第３アイコンが表示される構成と比較して、前記特定内容に対応する前記第３アイコンを探すユーザーの手間が軽減される。
【００８９】
ここで、制御部５は、前記表示操作に応じて、前記第３アイコンを含むアイコン表示領域Ｒ１０を初期画面Ｇ１０に表示させる。これにより、前記第３アイコンの使用を望まないユーザーとの関係で、不要なアイコン表示領域Ｒ１０が表示されることによって初期画面Ｇ１０の操作性が低下することが回避される。
【００９０】
＜ステップＳ１３３＞
ステップＳ１３３において、制御部５は、ステップＳ１３２で表示された前記第３アイコンが選択操作されたか否かを判断する。具体的に、制御部５は、操作検出部６２によってステップＳ１３２で表示された前記第３アイコンへの前記タッチ操作が検出された場合に、前記第３アイコンが選択操作されたと判断する。
【００９１】
ここで、制御部５は、ステップＳ１３２で表示された前記第３アイコンが選択操作されたと判断すると（Ｓ１３３のＹｅｓ側）、処理をステップＳ１３４に移行させる。また、ステップＳ１３２で表示された前記第３アイコンが選択操作されていなければ（Ｓ１３３のＮｏ側）、制御部５は、ステップＳ１３３で前記第３アイコンへの操作を待ち受ける。
【００９２】
なお、制御部５は、初期画面Ｇ１０の内側から外側への前記スワイプ操作が行われた場合には、表示部６１におけるアイコン表示領域Ｒ１０の表示を終了させる。この場合、制御部５は、処理をステップＳ１２に移行させる。
【００９３】
＜ステップＳ１３４＞
ステップＳ１３４において、制御部５は、ステップＳ１３３で操作されたと判断された前記第３アイコンに対応する前記設定項目の内容を前記特定内容に設定する。ここで、ステップＳ１３４の処理は、制御部５の第２設定処理部５５により実行される。
【００９４】
＜ステップＳ１３５＞
ステップＳ１３５において、制御部５は、前記第３アイコンが示す前記第１アイコンの前記移動パターンに対応する前記特定内容の設定回数をカウントアップする。
【００９５】
なお、前記機能設定処理において、ステップＳ１５、ステップＳ１３１〜ステップＳ１３５の処理は省略されてもよい。
【００９６】
このように、前記機能設定処理では、前記ドラッグアンドドロップ操作によって前記第１アイコンが前記第２アイコンの表示位置に移動されたと判定された場合に、前記第１アイコン及び前記第２アイコンそれぞれに対応する各機能のいずれか一方又は両方に関連する前記設定項目の内容が前記第１アイコン及び前記第２アイコンの組み合わせに対応する前記特定内容に設定される。これにより、所望する設定項目を設定するユーザーにおける表示部６１への操作の手間を軽減することが可能である。
【００９７】
また、画像処理装置１０では、前記設定項目の内容が、複数の前記アイコンのうちの少なくとも２つの前記アイコン間における前記ドラッグアンドドロップ操作による前記アイコンの前記移動パターンに応じて定められた前記特定内容に設定される。これにより、ユーザーは、二つの前記アイコン間における前記ドラッグアンドドロップ操作の方向を区別することで、内容の異なる二つの前記特定内容を選択して設定することが可能である。
【符号の説明】
【００９８】
１    ＡＤＦ
２    画像読取部
３    画像形成部
４    給紙部
５    制御部
６    操作表示部
７    記憶部
８    接続部
１０  画像処理装置
５１  第１表示処理部
５２  判定処理部
５３  第１設定処理部
５４  第２表示処理部
５５  第２設定処理部
６１  表示部
６２  操作検出部
８１  外部記憶装置
【図１】
0006508121.tif 000002
【図２】
0006508121.tif 000003
【図３】
0006508121.tif 000004
【図４】
0006508121.tif 000005
【図５】
0006508121.tif 000006
【図６】
0006508121.tif 000007
【図７】
0006508121.tif 000008
【図８】
0006508121.tif 000009